(57)【要約】【課題】購買意欲を向上させることができる商品販売データ処理装置およびプログラムを提供する。【解決手段】商品販売データ処理装置は、登録手段と、判定手段と、設定手段と、印字制御手段と、を備える。登録手段は、販売対象の商品を識別する情報に応じて抽出した通常の販売価格である第１の価格を登録する。判定手段は、前記登録手段が登録した商品の前記第１の価格を変更するか否かを判定する。設定手段は、前記判定手段が前記第１の価格を変更すると判定した場合に、変更後の販売価格である第２の価格を設定する。印字制御手段は、価格変更の対象となった商品の前記第１の価格と前記第２の価格とが印字されたレシートを発行する。【選択図】図１
2015194956.tif 000002
【特許請求の範囲】
【請求項１】
販売対象の商品を識別する情報に応じて抽出した通常の販売価格である第１の価格を登録する登録手段と、
前記登録手段が登録した商品の前記第１の価格を変更するか否かを判定する判定手段と、
前記判定手段が前記第１の価格を変更すると判定した場合に、変更後の販売価格である第２の価格を設定する設定手段と、
価格変更の対象となった商品の前記第１の価格と前記第２の価格とが印字されたレシートを発行する印字制御手段と、
を備えた商品販売データ処理装置。
【請求項２】
操作者から数字の入力を受け付ける入力手段を更に備え、
前記判定手段は、前記第１の価格を変更する操作が入力された場合に、前記第１の価格を変更すると判定し、
前記設定手段は、前記入力手段から入力された数字を前記第２の価格に設定する、
請求項１に記載の商品販売データ処理装置。
【請求項３】
前記判定手段は、予め設定された特売条件を満たす場合に、前記第１の価格を変更すると判定し、
前記設定手段は、予め定められた価格を、前記第２の価格に設定する、
請求項１に記載の商品販売データ処理装置。
【請求項４】
前記判定手段は、特定の商品の組み合わせが販売対象の商品に含まれる場合に、特売条件を満たし、前記第１の価格を変更すると判定する、
請求項３に記載の商品販売データ処理装置。
【請求項５】
前記印字制御手段は、前記判定手段が販売価格を変更すると判定した場合に、前記第２の価格であることを示すマークが印字されたレシートを発行する、
請求項１ないし４の何れか１項に記載の商品販売データ処理装置。
【請求項６】
コンピュータを、
販売対象の商品を識別する情報に応じて抽出した通常の販売価格である第１の価格を登録する登録手段と、
前記登録手段が登録した商品の前記第１の価格を変更するか否かを判定する判定手段と、
前記判定手段が前記第１の価格を変更すると判定した場合に、変更後の販売価格である第２の価格を設定する設定手段と、
価格変更の対象となった商品の前記第１の価格と前記第２の価格とが印字されたレシートを発行する印字制御手段と、
として機能させるためのプログラム。
【発明の詳細な説明】
【技術分野】
【０００１】
本発明の実施形態は、商品販売データ処理装置およびプログラムに関する。
【背景技術】
【０００２】
小売店などでは、ＰＯＳ（Point  Of  Sale）システムに代表される商品販売データ処理装置が使用されている。
【０００３】
特許文献１には、オペレータが必要な場合にのみ売価変更を実行することができる商品販売データ処理装置が記載されている。そして、小売店では、このような機能を用いてタイムセールや、特売などの企画が行われている。
【０００４】
しかしながら、売価変更が行われた場合であってもレシートには、変更後の金額は印字されるが売価変更が行われた旨は印字されず改善の余地があった。
【発明の概要】
【発明が解決しようとする課題】
【０００５】
本発明が解決しようとする課題は、購買意欲を向上させることができる商品販売データ処理装置およびプログラムを提供することである。
【課題を解決するための手段】
【０００６】
実施形態の商品販売データ処理装置は、登録手段と、判定手段と、設定手段と、印字制御手段と、を備える。登録手段は、販売対象の商品を識別する情報に応じて抽出した通常の販売価格である第１の価格を登録する。判定手段は、前記登録手段が登録した商品の前記第１の価格を変更するか否かを判定する。設定手段は、前記判定手段が前記第１の価格を変更すると判定した場合に、変更後の販売価格である第２の価格を設定する。印字制御手段は、価格変更の対象となった商品の前記第１の価格と前記第２の価格とが印字されたレシートを発行する。
【図面の簡単な説明】
【０００７】
【図１】図１は、実施形態にかかるＰＯＳ端末を示す外観斜視図である。
【図２】図２は、ＰＯＳ端末のハードウェア構成を示すブロック図である。
【図３】図３は、ＰＯＳ端末の機能構成を示すブロック図である。
【図４】図４は、レシートの一例を示した説明図である。
【図５】図５は、レシートの一例を示した説明図である。
【図６】図６は、印字処理の流れを示すフローチャートである。
【発明を実施するための形態】
【０００８】
図１は、実施形態にかかるＰＯＳ端末１を示す外観斜視図である。商品販売データ処理装置であるＰＯＳ端末１は、ドロワ２の上に載置されており、ドロワ２の引出し３の開放動作を制御することができる。ＰＯＳ端末１の上面右側にはユーザインタフェースとしてのキーボード４と表示部としてのオペレータ用表示部５とが配列され、上面左側にはプリンタ６が配列されている。オペレータ用表示部５は、一例として、液晶ディスプレイ装置である。ＰＯＳ端末１の上面後方には、客用表示部７が設けられている。図１において、ＰＯＳ端末１の右側面近傍に設けられている溝は、カードリーダライタ８（図２参照）によるカード情報の読み取り等をするためにカードをスキャンするためのカード読取溝９である。
【０００９】
キーボード４は、置数キーと、クリアキーと、戻りキーと、小計キーと、確定キーと、売価変更キーと、を備える。置数キーは、商品コードや金額等の数字を入力するためのキーである。クリアキーは、エラー発生時などに操作を取り消すためのキーである。戻りキーは、現在の操作をキャンセルして直前の画面に戻すためのキーである。小計キーは、売上登録を完了して売上合計金額の算出を宣言するためのキーである。
【００１０】
確定キーは、入力された操作を確定する場合に押下するキーである。売価変更キーは、販売価格を変更する場合に押下するキーである。販売価格は、売価変更キーが押下された後に、置数キーにて変更後の価格を入力し、確定キーが押下されることで変更される。
【００１１】
売価変更キーは、夕方などに急遽、商品の販売価格を変更した場合に使用される。または、売価変更キーは、後述する商品マスタＭ１（図２参照）の販売価格の更新が間に合わなかった場合に使用される。または、売価変更キーは、ある特定の商品分類の販売価格を変更したい場合に使用される。なお、売価変更キーによる販売価格の変更は、一取引のみ有効となる。すなわち、以降の販売価格は、商品マスタＭ１の販売価格が適用される。
【００１２】
ＰＯＳ端末１は、オペレータから見てＰＯＳ端末１の右側面に、ＣＤ−ＲＯＭを装着するためのＣＤ−ＲＯＭトレイ１０が設けられている。また、ＰＯＳ端末１には、商品（図示せず）に付されたバーコードを光学的に読み取るバーコードリーダ１１が接続されている。
【００１３】
図２は、ＰＯＳ端末１のハードウェア構成を示すブロック図である。ＰＯＳ端末１は、マイクロコンピュータ１００を有している。マイクロコンピュータ１００は、ＣＰＵ（Central  Processing  Unit）１１０と、ＲＯＭ（Read  Only  Memory）１２０と、ＲＡＭ（Random  Access  Memory）１３０とを備える。ＣＰＵ１１０は、各種演算処理を実行し各部を制御する。ＲＯＭ１２０は、固定データを固定的に記憶保存する。ＲＡＭ１３０は、可変データを書き換え自在に記憶してワークエリアとして使用される。ＣＰＵ１１０と、ＲＯＭ１２０と、ＲＡＭ１３０とは、バスライン１４０を介して接続される。マイクロコンピュータ１００は、情報処理を実行する情報処理部を構成する。
【００１４】
マイクロコンピュータ１００は、前述したドロワ２と、キーボード４と、オペレータ用表示部５と、プリンタ６と、客用表示部７と、カードリーダライタ８と、バーコードリーダ１１とを、入出力回路（全て図示せず）とバスライン１４０とを介して制御する。
【００１５】
また、ＰＯＳ端末１は、記憶部１５０と、ＣＤ−ＲＯＭドライブ１６０と、通信インタフェース１７０と、時計部１８０とを備える。そして、記憶部１５０と、ＣＤ−ＲＯＭドライブ１６０と、通信インタフェース１７０と、時計部１８０とは、バスライン１４０を介してマイクロコンピュータ１００に接続する。
【００１６】
通信インタフェース１７０は、店舗内に設けられた構内通信回線網２００を介して上位装置であるストアサーバ３００とデータ通信を行う。また、通信インタフェース１７０は、インターネットを介して外部コンピュータとデータ通信を行うことが可能である。時計部１８０は、現在の日時を計時する。
【００１７】
記憶部１５０は、ＨＤＤ（Hard  Disk  Drive）やＳＳＤ（Solid  State  Drive）などの記憶装置である。記憶部１５０は、オペレーティングシステムと、各種コンピュータプログラムと、商品マスタＭ１と、特売マスタＭ２と、セット販売マスタＭ３とを記憶する。オペレーティングシステムと、各種コンピュータプログラムとは、ＰＯＳ端末１が備えている機能を発揮させるためのプログラムである。
【００１８】
商品マスタＭ１は、商品コードに関連付けて、商品情報を記憶する。商品コードとは、商品を識別する情報である。商品情報とは、値下げされていない価格である通常の販売価格や、商品名称や、商品の分類などである。
【００１９】
特売マスタＭ２は、タイムセールや、特別に安い価格で販売する特売などの企画において、対象商品の販売価格が記憶されている。すなわち、特売マスタＭ２は、対象商品の商品コードに関連付けて、値下げ後の販売価格を記憶する。
【００２０】
セット販売マスタＭ３は、特定の組み合わせの商品が販売された場合に、価格を下げて販売するセット販売に係る、セット商品情報が記憶されている。ここで、セット販売は、予め定められた複数種類の商品が販売対象に含まれる場合に価格が下げられる場合と、予め定められた個数の同一種類の商品が販売対象に含まれる場合に価格が下げられる場合とがある。よって、セット商品情報は、１又は複数の商品コードと、個数と、値下げ後の販売価格とが記憶される。そして、セット商品情報の条件が満たされた場合に、値下げ後の販売価格が適用される。
【００２１】
ここで、オペレーティングシステム、コンピュータプログラム、及び、データファイルの一部は、例えば、ＣＤ−ＲＯＭに記憶され、ＣＤ−ＲＯＭドライブ１６０によって読み取られて記憶部１５０に記憶される。または、インターネット等を介して外部コンピュータからダウンロードし、記憶部１５０に記憶するようにしても良い。このようなオペレーティングシステム、コンピュータプログラム、及び、データファイルは、ＰＯＳ端末１の起動時、その全部又は一部がＲＡＭ１３０にコピーされて使用される。
【００２２】
次に、本実施形態にかかるＰＯＳ端末１のマイクロコンピュータ１００が、コンピュータプログラムに従って実行する特徴的な処理について説明する。なお、従来から行なわれている処理と同様の処理についてはその説明を省略する。
【００２３】
図３は、ＰＯＳ端末１の機能構成を示すブロック図である。マイクロコンピュータ１００は、コンピュータプログラムに従って動作することにより、図３に示すように、登録部１０１と、判定部１０２と、設定部１０３と、印字制御部１０４と、として機能する。
【００２４】
登録手段である登録部１０１は、キーボード４や、バーコードリーダ１１から入力された商品コードを用いて販売対象の商品として登録する。具体的には、登録部１０１は、入力された商品コードに関連付けられている価格と、商品名とを商品マスタＭ１から抽出して登録する。
【００２５】
判定手段である判定部１０２は、登録部１０１が登録した商品コードを有する商品の販売価格を変更するか否かを判定する。判定部１０２は、キーボード４に備えられた売価変更キーが押下された場合、又は予め設定された条件を満たした場合に販売価格を変更すると判定する。
【００２６】
予め設定された条件とは、例えば、タイムセールや、セット販売などの条件である。タイムセールの条件とは、日時設定などである。すなわち、判定部１０２は、予め設定された日時に商品登録が行われ、登録された商品が特売マスタＭ２に含まれている場合に、商品の販売価格を変更すると判定する。セット販売の条件とは、予め定められた組み合わせの商品が、設定個数分、販売対象の商品に含まれているか否かなどである。すなわち、判定部１０２は、販売対象の商品に、セット販売マスタＭ３で設定された組み合わせと個数との条件を満たす商品が含まれている場合に、セット商品の販売価格を変更すると判定する。
【００２７】
検索条件と一致する商品コードがない場合には、商品コードの商品は、特売などの対象商品ではないことを示している。よって、判定部１０２は、予め設定された条件を満たしていないと判定する。
【００２８】
設定手段である設定部１０３は、判定部１０２が販売価格を変更すると判定した場合に、変更後の価格を設定する。設定部１０３は、売価変更キーが押下された場合に、入力手段である置数キーなどを用いて入力された価格を変更後の価格として設定する。
【００２９】
また、設定部１０３は、予め設定された条件を満たすと判定された場合に、販売価格変更用のマスタである特売マスタＭ２、又はセット販売マスタＭ３に設定されている価格を変更後の価格として設定する。具体的には、設定部１０３は、判定部１０２が特売マスタＭ２、又はセット販売マスタＭ３に含まれていると判定した商品コードに関連付けられた価格を販売価格として登録する。
【００３０】
印字制御部１０４は、プリンタ６を制御してレシートを印字する。その際、印字制御部１０４は、販売価格が変更される対象となった商品は、変更前の販売価格と変更後の販売価格とが印字され、販売価格が変更されていない商品は、商品登録の際に設定された販売価格が印字されたレシートを発行する。ここで、図４は、レシートＲの一例を示した説明図である。
【００３１】
レシートＲは、購入した商品一覧を印字した明細印字領域Ｒ１を備える。図４に示すように販売価格が変更された商品は、明細印字領域Ｒ１に元値領域Ｒ２１、Ｒ２２、Ｒ２３と、売値領域Ｒ３１、Ｒ３２、Ｒ３３とが印字される。元値領域Ｒ２１、Ｒ２２、Ｒ２３は、販売価格を変更する前の元の値段である。売値領域Ｒ３１、Ｒ３２、Ｒ３３は、販売価格を変更した後の値段である。
【００３２】
図４に示すレシートＲは、商品Ａと、商品Ｅと、セット商品Ｆについて販売価格が変更されたことを示している。商品Ａの元値領域Ｒ２１は、「元  １０００」と印字し、変更前の元の販売価格が１０００円であったことを示している。そして、商品Ａの売値領域Ｒ３１は、「売  ８００」と印字し、変更後の販売価格が８００円であったことを示している。
【００３３】
印字制御部１０４は、同一商品を複数購入した乗算登録の場合においても変更前と変更後の販売価格を印字する。図４に示す商品Ｅは、同一商品を複数購入した乗算登録を示している。商品Ｅの元値領域Ｒ２２は、「元（￥１２００×３  ￥３，６００）」と印字している。これにより、変更前の元の販売価格は、１２００円の商品Ｅが３個購入され、合計３６００円であったことを示している。商品Ｅの売値領域Ｒ３２は、「売（￥１０００×３  ￥３，０００）」と印字している。これにより、変更後の販売価格は、１０００円の商品Ｅが３個購入され、合計３０００円となったことを示している。
【００３４】
また、印字制御部１０４は、セット商品に該当するために、価格を下げて販売する場合も変更前と変更後の販売価格を印字する。セット商品Ｆは、商品Ｘと、商品Ｙと、商品Ｚとの組み合わせのセット商品であることを示している。図４に示すセット商品Ｆの元値領域Ｒ２３は、「元  １２５０」と印字し、変更前の元の販売価格が１２５０円であったことを示している。セット商品Ｆの売値領域Ｒ３３は、「売  １０００」と印字し、変更後の販売価格が１０００円であったことを示している。
【００３５】
また、印字制御部１０４は、予め定められた条件を満たし販売価格が変更された場合に、レシートＲに特売マークＲ４を印字する。図５は、特売マークＲ４が印字されたレシートＲの一例を示した説明図である。図５は、商品Ａと、商品Ｅとについて特売マスタＭ２の価格に販売価格が変更されたことを示している。図５は、セット商品Ｆについてセット販売マスタＭ３の価格に販売価格が変更されたことを示している。また、特売マスタＭ２と、セット販売マスタＭ３との何れのマスタの販売価格に変更されたかが判別できるように、特売マークＲ４は、それぞれ異なるマークであってもよい。
【００３６】
次に、上述した実施形態にかかるＰＯＳ端末１のマイクロコンピュータ１００がコンピュータプログラムに従って実行するレシートＲの印字処理について説明する。図６は、ＰＯＳ端末１のマイクロコンピュータ１００がコンピュータプログラムに従って実行する印字処理の流れを示すフローチャートである。
【００３７】
まず、ＰＯＳ端末１のマイクロコンピュータ１００は、バーコードリーダ１１や、キーボード４から商品コードが入力されたか否かを判定する（ステップＳ１）。商品コードが入力されていない場合に（ステップＳ１；Ｎｏ）、ＰＯＳ端末１のマイクロコンピュータ１００は、ステップＳ１１に移行する。
【００３８】
一方、商品コードが入力された場合に（ステップＳ１；Ｙｅｓ）、ＰＯＳ端末１のマイクロコンピュータ１００は、入力された商品コードを検索条件にして商品マスタＭ１を検索する（ステップＳ２）。
【００３９】
次いで、ＰＯＳ端末１のマイクロコンピュータ１００（登録部１０１）は、検索条件と一致した商品マスタＭ１の商品を購入対象の商品として登録し、該当する商品の通常の販売価格を抽出する（ステップＳ３）。
【００４０】
次いで、ＰＯＳ端末１のマイクロコンピュータ１００（判定部１０２）は、特売条件を満たしているか否かを判定する（ステップＳ４）。具体的には、ＰＯＳ端末１のマイクロコンピュータ１００（判定部１０２）は、商品登録が予め設定された日時に行われたか否かを判定することで、特売条件を満たしているか否かを判定する。または、ＰＯＳ端末１のマイクロコンピュータ１００（判定部１０２）は、セット販売マスタＭ３で示された商品の組み合わせが、購入対象の商品に含まれているか否かを判定する。
【００４１】
特売条件を満たしていない場合に（ステップＳ４；Ｎｏ）、ＰＯＳ端末１のマイクロコンピュータ１００（判定部１０２）は、ステップＳ８に移行する。
【００４２】
一方、特売条件を満たしている場合に（ステップＳ４；Ｙｅｓ）、ＰＯＳ端末１のマイクロコンピュータ１００（判定部１０２）は、商品コードを検索条件にして販売価格の変更用のマスタである特売マスタＭ２、又はセット販売マスタＭ３を検索する（ステップＳ５）。
【００４３】
次いで、ＰＯＳ端末１のマイクロコンピュータ１００（判定部１０２）は、特売マスタＭ２またはセット販売マスタＭ３に登録された商品コードと一致する商品コードが含まれているか否かを判定する（ステップＳ６）。特売マスタＭ２またはセット販売マスタＭ３に登録された商品コードと一致する商品コードが含まれていない場合に（ステップＳ６；Ｎｏ）、ＰＯＳ端末１のマイクロコンピュータ１００は、ステップＳ８に移行する。
【００４４】
特売マスタＭ２またはセット販売マスタＭ３に登録された商品コードと一致する商品コードが含まれている場合に（ステップＳ６；Ｙｅｓ）、ＰＯＳ端末１のマイクロコンピュータ１００（設定部１０３）は、特売マスタＭ２またはセット販売マスタＭ３に登録された価格を販売価格として登録する（ステップＳ７）。
【００４５】
次いで、ＰＯＳ端末１のマイクロコンピュータ１００（判定部１０２）は、売価変更キーの押下を検出するか否かを判定する（ステップＳ８）。売価変更キーの押下が検出されない場合に（ステップＳ８；Ｎｏ）、ＰＯＳ端末１のマイクロコンピュータ１００（判定部１０２）は、ステップＳ１１に移行する。
【００４６】
一方、売価変更キーの押下が検出された場合に（ステップＳ８；Ｙｅｓ）、ＰＯＳ端末１のマイクロコンピュータ１００（判定部１０２）は、キーボード４から売価の入力を受け付ける（ステップＳ９）。次いで、ＰＯＳ端末１のマイクロコンピュータ１００（設定部１０３）は、入力された売価を販売価格として登録する（ステップＳ１０）。
【００４７】
次いで、ＰＯＳ端末１のマイクロコンピュータ１００は、小計キーの押下を検出するか否かを判定する（ステップＳ１１）。小計キーの押下を検出しない場合に（ステップＳ１１；Ｎｏ）、ＰＯＳ端末１のマイクロコンピュータ１００は、ステップＳ１に戻り商品登録を行う。
【００４８】
一方、小計キーの押下を検出した場合に（ステップＳ１１；Ｙｅｓ）、ＰＯＳ端末１のマイクロコンピュータ１００（印字制御部１０４）は、レシートＲを印字する（ステップＳ１２）。
【００４９】
次いで、ＰＯＳ端末１のマイクロコンピュータ１００は、トラン処理として、本取引に係る売上登録情報をストアサーバ３００に送信する（ステップＳ１３）。トラン処理の際に、ＰＯＳ端末１のマイクロコンピュータ１００は、変更後の価格設定を消去する。これにより、変更された販売価格を一取引に限定することができる。すなわち、以降の販売価格は、商品マスタＭ１の販売価格が適用される。
【００５０】
以上のように、本実施形態によれば、ＰＯＳ端末１の登録部１０１は、バーコードリーダ１１などから入力された商品コードに応じて抽出した値下げられていない通常の販売価格（第１の価格）を登録する。そして、判定部１０２が販売価格（第１の価格）を変更すると判定した場合に、ＰＯＳ端末１の登録部１０１は、変更後の販売価格（第２の価格）を登録する。そして、ＰＯＳ端末１の印字制御部１０４は、変更前の販売価格（第１の価格）と、変更後の販売価格（第２の価格）とを印字する。変更後の販売価格（第２の価格）が安価になっている場合に顧客は、お得感を感じる。よって、顧客の購買意欲を向上させることができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５２】
なお、上記実施形態では、ＩＤカードに付されているコードシンボルを読み取らせることで、医療従事者を識別する識別情報を読み取ると説明している。しかし、医療従事者を識別する識別情報は、コードシンボルに限らない。例えば、生体認証により医療従事者を識別してもよい。
【００５３】
なお、上記実施形態では、商品マスタＭ１及び特売マスタＭ２は、ＰＯＳ端末１の記憶部１５０に記憶されていると説明したが、ＰＯＳ端末１の記憶部１５０以外の装置に記憶されていてもよい。例えば、商品マスタＭ１及び特売マスタＭ２は、ストアサーバ３００に記憶されていてもよい。
【符号の説明】
【００５４】
１      ＰＯＳ端末
１００  マイクロコンピュータ
１０１  登録部
１０２  判定部
１０３  設定部
１０４  印字制御部
Ｍ１    商品マスタ
Ｍ２    特売マスタ
【先行技術文献】
【特許文献】
【００５５】
【特許文献１】特開平５−６２０６９号公報
【図１】
2015194956.tif 000003
【図２】
2015194956.tif 000004
【図３】
2015194956.tif 000005
【図４】
2015194956.tif 000006
【図５】
2015194956.tif 000007
【図６】
2015194956.tif 000008